(57)【要約】      （修正有）【課題】第１の移動通信システムと第２の移動通信システムとの間の干渉を低減するための方法を提供する。【解決手段】第１の移動通信システムを介した移動機器の通信と、第２の移動通信システムを介した当該移動機器の通信との間の干渉をするための方法であって、第１の移動通信システムの１つ以上の送信ユニットの所在位置に関する情報及び第１の移動通信システムの１つ以上の送信ユニットの使用する通信リソースに関する情報を受け取るステップ１１０、移動機器の位置を特定するステップ１２０及び第１の移動通信システムの１つ以上の送信ユニットの所在位置に関する情報に基づく移動機器の位置での第２の移動通信システムを介した移動機器の通信を、第１の移動通信システムの１つ以上の送信ユニットの使用する通信リソースに関する情報に基づく第２の移動通信システムの通信リソースの使用の適合化によって、適合化するステップ１３０を含む。【選択図】図１
2020174398.tif 000002
【特許請求の範囲】
【請求項１】
第１の移動通信システムと、第２の移動通信システムを介した移動機器（１００）の通信との間の干渉を低減するための移動機器（１００）のための方法であって、
前記第１の移動通信システムの１つ以上の送信ユニットの所在位置に関する情報、及び、前記第１の移動通信システムの１つ以上の送信ユニットの使用する通信リソースに関する情報を受け取るステップ（１１０）と、
前記移動機器の位置を特定するステップ（１２０）と、
前記第１の移動通信システムの１つ以上の送信ユニットの所在位置に関する情報に基づく前記移動機器の位置での前記第２の移動通信システムを介した前記移動機器の通信を、前記第１の移動通信システムの１つ以上の送信ユニットの前記使用する通信リソースに関する情報に基づく前記第２の移動通信システムの通信リソースの使用の適合化によって、適合化するステップ（１３０）と、
を含む方法。
【請求項２】
前記使用する通信リソース及び／又は前記第２の移動通信システムの通信リソースは、周波数リソース、時間リソース及び空間リソースのグループのうちの少なくとも１つの要素を含む、請求項１に記載の方法。
【請求項３】
前記通信リソースの使用の適合化は、前記使用する通信リソースの交換を含み、又は、前記通信リソースの使用の適合化は、変更された通信パラメータによる通信リソースの維持を含む、請求項１又は２に記載の方法。
【請求項４】
前記使用する通信リソースは第１の周波数リソースを含み、前記第２の移動通信システムの通信リソースは第２の周波数リソースを含み、前記第１の周波数リソース及び前記第２の周波数リソースは、少なくとも部分的に重複しており、又は、前記第１の周波数リソースと前記第２の周波数リソースとの間の周波数間隔は、周波数間隔閾値よりも小さい、請求項１から３までのいずれか１項に記載の方法。
【請求項５】
前記通信を適合化するステップ（１３０）は、前記第２の移動通信システムを介した通信のために、前記移動機器の位置で前記第１の移動通信システムの１つ以上の送信ユニットによって使用されていない周波数リソースの使用を含む、請求項１から４までのいずれか１項に記載の方法。
【請求項６】
前記通信を適合化するステップ（１３０）は、前記通信の時点の適合化を含む、請求項１から５までのいずれか１項に記載の方法。
【請求項７】
前記通信の時点の適合化は、通信の前倒し若しくはシフト、通信の繰り返しレートの適合化、及び／又は、通信のデータスループットの増加を含む、請求項６に記載の方法。
【請求項８】
前記通信を適合化するステップ（１３０）は、さらに、前記第２の移動通信システムを介した前記移動機器の通信のデジタル変調の適合化を含む、請求項１から７までのいずれか１項に記載の方法。
【請求項９】
前記通信を適合化するステップ（１３０）は、さらに、前記第２の移動通信システムを介した前記移動機器の通信のための当該移動機器の送信電力の増加を含む、請求項１から８までのいずれか１項に記載の方法。
【請求項１０】
前記使用する通信リソースの周波数リソース及び／又は前記第２の移動通信システムの通信リソースの周波数リソースは、少なくとも部分的に５ＧＨｚ乃至６ＧＨｚの間の周波数領域に存在し、及び／又は、前記通信を適合化するステップ（１３０）は、さらに、前記第２の移動通信システムの基地局間での前記移動機器のハンドオーバの適合化を含む、請求項１から９までのいずれか１項に記載の方法。
【請求項１１】
前記第１の移動通信システムの１つ以上の送信ユニットの所在位置に関する情報、及び、前記使用する通信リソースに関する情報は、マップ内に含まれており、前記第１の移動通信システムの１つ以上の送信ユニットの所在位置に関する情報、及び、前記使用する通信リソースに関する情報を受け取る前記ステップは、前記マップの少なくとも一部の受信を含む、請求項１から１０までのいずれか１項に記載の方法。
【請求項１２】
前記通信を適合化するステップ（１３０）は、周波数分割多重化方式、時分割多重化方式及び空間分割多重化方式のグループのうちの少なくとも１つの要素に基づく、請求項１から１１までのいずれか１項に記載の方法。
【請求項１３】
プログラムコードがコンピュータ、プロセッサ、制御モジュール又はプログラミング可能なハードウェアコンポーネント上で実行されるときに、請求項１から１２までのいずれか１項に記載の方法を実施するためのプログラムコードを有するプログラム。
【請求項１４】
第１の移動通信システムと、第２の移動通信システムを介した移動機器（１００）の通信との間の干渉を低減するための移動機器（１００）のための装置（１０）であって、
前記第１の移動通信システムの１つ以上の送信ユニットの所在位置に関する情報、及び、前記第１の移動通信システムの１つ以上の送信ユニットの使用する通信リソースに関する情報を受け取るように構成され、さらに、位置決めモジュール（１６）から前記移動機器の位置に関する情報を受け取るように構成された少なくとも１つのインタフェース（１２）と、
前記少なくとも１つのインタフェースを制御するように構成され、前記移動機器の位置に関する情報に基づいて前記移動機器の位置を特定するように構成され、さらに、前記第１の移動通信システムの１つ以上の送信ユニットの所在位置に関する情報に基づく前記移動機器の位置での前記第２の移動通信システムを介した前記移動機器の通信を、前記第１の移動通信システムの１つ以上の送信ユニットの使用する通信リソースに関する情報に基づく前記第２の移動通信システムの通信リソースの使用の適合化によって、適合化するように構成された制御モジュール（１４）と、
を備えている装置（１０）。
【請求項１５】
第２の移動通信システムを介した車両の通信を適合化するための請求項１４に記載の装置（１０）を備えている車両。
【発明の詳細な説明】
【技術分野】
【０００１】
本発明は、第１の移動通信システムと第２の移動通信システムとの間の干渉を低減するための移動機器のための方法、装置及びコンピュータプログラム、並びに、当該装置を備えた車両及びプログラミング可能な移動電話に関する。
【背景技術】
【０００２】
車両と、他の車両、車両製造メーカの計算機センター又はインターネットとのネットワーク化は、車両製造における注目点である。車両の移動性により、車両と他の通信パートナーとの通信は、場合によっては、例えば、シェーディング、反射、干渉又は通信パートナーとの間隔距離の変化によって困難になることがある。同様の問題は、車両内に、例えば公共の近距離人員輸送機関に持ち込まれた移動機器でも頻繁に発生する。
【０００３】
移動機器とインターネットとのネットワーク化を使用するサービスの多くは、場合によっては、例えば、ナビゲーション用途やメディアデータの再生の際に、複数のデータの連続的なリロードとバッファリングとに依存することがある。その際に移動機器の通信制限が起こると、メディアの再生又はマップデータのリロードが制約される可能性がある。さらに車車間通信の信頼性は、受信器側車両に送信されたメッセージを首尾よく復号化できることに基づくことができる。
【発明の概要】
【発明が解決しようとする課題】
【０００４】
ここでは、信頼性を高め、相互干渉を低減するための、移動機器のデータ伝送のための改善された構想に向けての需要が存在している。
【課題を解決するための手段】
【０００５】
この需要は、独立請求項によって考慮される。
【０００６】
少なくともいくつかの実施例は、移動機器の位置を特定し、第１の移動無線システムの１つ以上の送信ユニットの所在位置に関する情報に基づいて、当該移動機器近傍の第１の移動通信システムの送信ユニットの所在位置を特定することに基づいている。この移動機器が、第１の移動通信システムとは異なる第２の移動通信システムを介した通信のために、第１の移動通信システムと同一又は類似の通信リソース（例えば周波数リソース）を使用するならば、当該移動機器の通信は次のように適合化することができる。すなわち、例えば、第２の移動通信システムを介したデータ伝送の信頼性を向上させかつ相互干渉を低減するために、同一のリソースの使用が低減され若しくは回避されるように、又は、より堅固な通信が選択されるように、適合化することができる。
【０００７】
実施例によれば、第１の移動通信システムと、第２の移動通信システムを介した移動機器の通信との間の干渉を低減するための移動機器のための方法が提供される。この方法は、第１の移動通信システムの１つ以上の送信ユニットの所在位置に関する情報及び第１の移動通信システムの１つ以上の送信ユニットの使用する通信リソースに関する情報を受け取るステップを含んでいる。この方法はさらに、移動機器の位置を特定するステップを含んでいる。この方法はさらに、第１の移動通信システムの１つ以上の送信ユニットの所在位置に関する情報に基づく移動機器の位置での第２の移動通信システムを介した移動機器の通信を、第１の移動通信システムの１つ以上の送信ユニットの使用する通信リソースに関する情報に基づく第２の移動通信システムの通信リソースの使用の適合化によって、適合化するステップを含んでいる。
【０００８】
通信リソースの使用の適合化は、例えば、第２の移動通信システムを介した通信のために、当該位置において第１の移動通信システムによって使用されていない通信リソースへの回避を可能にし、あるいはより堅固な伝送を可能にするために、変調の適合化や送信電力の増加を可能にすることができる。このことは、例えば、通信の信頼性を高め、通信の干渉を低減することを可能にする。
【０００９】
例えば、使用する通信リソース及び／又は第２の移動通信システムの通信リソースは、周波数リソース、時間リソース及び空間リソースのグループのうちの少なくとも１つの要素を含み得る。周波数、時間及び空間リソースに基づく通信の適合化は、リソースのより効率的な同時使用を可能にすることができる。
【００１０】
例えば、通信リソースの使用の適合化は、使用する通信リソースの交換を含み得る。例えば、他の周波数、時間又は空間リソースを使用することができる。
【００１１】
代替的に通信リソースの使用の適合化は、変更された通信パラメータによる通信リソースの維持を含み得る。この場合、例えば、送信電力を増加させることができ、あるいはデジタル変調又は符号化を変更することができる。
【００１２】
例えば、使用する通信リソースは第１の周波数リソースを含むことができ、第２の移動通信システムの通信リソースは第２の周波数リソースを含み得る。第１の周波数リソース及び第２の周波数リソースは、少なくとも部分的に重複していてもよいし、第１の周波数リソースと第２の周波数リソースとの間の周波数間隔が周波数間隔閾値より小さくてもよい。例えば、通信を適合化するステップは、第２の移動通信システムを介した通信のために、移動機器の位置で第１の移動通信システムの１つ以上の送信ユニットによって使用されていない周波数リソースの使用を含み得る。２つの移動通信システムが隣接するか又は同一周波数領域内で通信する場合には、第２の移動通信システムにおける通信の適合化は、干渉を回避させ、通信の信頼性を高めることができる。
【００１３】
代替的又は付加的に、通信を適合化するステップは、通信の時点の適合化を含み得る。例えば、通信の時点の適合化は、通信の前倒し又はシフト、通信の繰り返しレートの適合化及び／又は通信のデータスループットの増加を含み得る。例えば、第１の移動通信システムの送信ユニットの通過を待機するための、又は、通信を事前に終了させるための通信の時点の適合化は、通信の信頼性を高めることができる。
【００１４】
例えば、通信を適合化するステップはさらに、第２の移動通信システムの基地局間での移動機器のハンドオーバの適合化を含み得る。
【００１５】
それにより、例えば、他の周波数又は空間リソースの使用により、第２の移動通信システムを介した通信の干渉を低減することができる。
【００１６】
例えば、通信を適合化するステップはさらに、第２の移動通信システムを介した移動機器の通信のデジタル変調の適合化を含み得る。例えば、第２の移動通信システムを介した移動機器の通信のデジタル変調は、第１の移動通信システムの１つ以上の送信ユニットのうちの１つの送信ユニットの所在位置が当該移動機器の位置の周辺に存在する場合、より堅固な特性（例えば、僅かに異なる位相又は振幅状態など）を有するデジタル変調を使用する。
【００１７】
付加的又は代替的に、通信を適合化するステップはさらに、第２の移動通信システムを介した前記移動機器の通信のための当該移動機器の送信電力の増加を含み得る。この送信電力の増加は、第２の移動通信システムを介した通信の信頼性を高めることができる。
【００１８】
例えば、使用する通信リソースの周波数リソース及び／又は第２の移動通信システムの通信リソースの周波数リソースは、少なくとも部分的に５ＧＨｚ乃至６ＧＨｚの間の周波数領域に存在することができる。例えば、この周波数領域内では、電気電子学会（ＩＥＥＥ）のＩＥＥＥ規格８０２．１１ａｃ及びＩＥＥＥ８０２．１１ｐに準拠した移動通信システムの周波数帯域は重複していてもよいし、隣接していてもよい。
【００１９】
例えば、第１の移動通信システムの１つ以上の送信ユニットの所在位置に関する情報及び前記使用する通信リソースに関する情報はマップ内に含まれていてもよい。第１の移動通信システムの１つ以上の送信ユニットの所在位置に関する情報及び使用する通信リソースに関する情報を受け取るステップは、マップの少なくとも一部の受信を含み得る。例えば、このマップは、ナビゲーション用途のナビゲーションマップに含まれていてもよい。
【００２０】
例えば、通信を適合化するステップは、周波数分割多重化方式、時分割多重化方式及び空間分割多重化方式のグループのうちの少なくとも１つの要素に基づくことができる。例えば、通信を適合化するステップは、同一時点及び同一位置での周波数リソースの多重の占有を回避又は低減するために、多重化方式のうちの１つの使用を含み得る。
【００２１】
実施例によればさらに、プログラムコードがコンピュータ、プロセッサ、制御モジュール又はプログラミング可能なハードウェアコンポーネント上で実行されるときに当該方法を実施するためのプログラムコードを含むプログラムが提供される。
【００２２】
実施例によればさらに、第１の移動通信システムと、第２の移動通信システムを介した移動機器の通信との間の干渉を低減するための移動機器のための装置が提供される。この装置は、第１の移動通信システムの１つ以上の送信ユニットの所在位置に関する情報及び第１の移動通信システムの１つ以上の送信ユニットの使用する通信リソースに関する情報を受け取るように構成された少なくとも１つのインタフェースを含む。この少なくとも１つのインタフェースはさらに、位置決めモジュールから移動機器の位置に関する情報を受け取るように構成されている。例えば、この装置はさらに、位置決めモジュールを含み得る。この装置はさらに、少なくとも１つのインタフェースを制御するように構成された制御モジュールを含む。この制御モジュールはさらに、移動機器の位置に関する情報に基づいて移動機器の位置を特定するように構成されている。この制御モジュールはさらに、第１の移動通信システムの１つ以上の送信ユニットの所在位置に関する情報に基づく移動機器の位置での第２の移動通信システムを介した移動機器の通信を、第１の移動通信システムの１つ以上の送信ユニットの使用する通信リソースに関する情報に基づく第２の移動通信システムの通信リソースの使用の適合化によって、適合化するように構成されている。
【００２３】
実施例によればさらに、移動機器のための装置を含んでいる移動機器が提供される。例えば、この移動機器は、車両、プログラミング可能な移動電話又はタブレットコンピュータに相応し得る。実施例によれば、第２の移動通信システムを介した車両の通信を適合化するための移動機器のための装置を含む車両が提供される。
【００２４】
以下ではさらなる好ましい実施形態を、図面に示されている実施例に基づいてより詳細に説明するが、しかしながら、基本的には全体としてこれらの実施例に限定されるものではない。
【図面の簡単な説明】
【００２５】
【図１】第１の移動通信システムと、第２の移動通信システムを介した移動機器の通信との間の干渉を低減するための移動機器のための方法のフローチャート。
【図２】第１の移動通信システムと、第２の移動通信システムを介した移動機器の通信との間の干渉を低減するための移動機器のための装置のブロック回路図。
【発明を実施するための形態】
【００２６】
ここでは異なる実施例を、いくつかの実施例が示されている添付の図面を参照してより詳細に説明する。これらの図面中、線、層及び／又は領域の厚さ寸法は、明瞭化のために誇張されている場合がある。
【００２７】
いくつかの例示的な実施例のみを示す添付の図面の以下の説明では、同一の参照符号を同一又は類似の構成要素に付けることがあり得る。さらに、１つの実施例又は図面に何度も出現するが、１つ以上の特徴に関して一緒に説明されるコンポーネント及び対象に対しては統合的な参照符号を使用することがあり得る。同一又は統合的な参照符号が付されるコンポーネント又は対象は、個々の、複数の又はすべての特徴、例えば、その寸法に関して、同様に構成されてもよいが、場合によっては、説明から何らかの別の事項が明示的又は暗示的に生じない限り異なっていてもよい。
【００２８】
これらの実施例は、異なる方法で修正及び変更することができるにもかからず、これらの実施例は図面中に例として示され、本明細書で詳細に説明される。しかしながら、これらの実施例は、それぞれ開示された形態への限定を意図したものではないこと、それどころかこれらの実施例は、本発明の範囲内にあるすべての機能的及び／又は構造的変更、等価物及び代替物を包含すべきものであることは、明らかである。同一の参照符号は、すべての図面の説明において同一又は類似の要素に付される。
【００２９】
他の要素に「接続」又は「結合」されていると称される要素は、他の要素に直接接続若しくは結合されてもよいし、又は、介在的な要素が存在していてもよいことに留意されたい。それに対して、ある要素が他の要素に「直接接続されている」又は「直接結合されている」と称される場合には、介在的な要素は存在しない。複数の要素間の関係を説明するために使用される他の用語も同様に解釈されるべきである（例えば、「間に」対「直接それらの間に」、「隣接して」対「直接隣接して」など）。
【００３０】
本明細書で使用される用語は、特定の実施例の説明にのみ使用されるものであり、これらの実施例に限定されるものではない。本明細書で使用されるように「１つの」、「前記」などの単数形にとれる不定冠詞、定冠詞には、文脈上で一義的に何らかの他のものを明示していない限り、複数形も含まれるものである。さらに本明細書で使用されるように例えば、「含有する」、「含有している」、「有する」、「含む」、「含んでいる」及び／又は「有している」などの表現は、言及された特徴、整数、ステップ、動作シーケンス、要素及び／又はコンポーネントの存在を示すことは明らかであるが、ただし、１つ以上の特徴、整数、ステップ、動作シーケンス、要素、コンポーネント及び／又はそれらのグループの存在又は追加を排除するものではない。
【００３１】
他に定義されていない限り、本明細書で使用されるすべての概念（技術的及び学術的概念を含む）は、当該実施例が関係する分野の平均的な当業者に認められている概念と同様の意味合いを有するものである。さらに、次のような表現、例えば、一般的に使用されている辞書で定義されているような表現は、それらの関連技術の文脈上での意味と矛盾しない意味合いを有するものであろうと解釈されるべきであり、このことが本明細書で明示的に定義されていない場合であっても、理想化された又は過度に形式的な意味で解釈されるべきではないことは明らかである。
【００３２】
図１は、第１の移動通信システムと、第２の移動通信システムを介した移動機器１００の通信との間の干渉を低減するための移動機器１００のための方法のフローチャートを示す。図２は、この方法を実施するように構成された移動機器のための対応する装置１０のブロック回路図を示す。
【００３３】
例えば、この移動機器は、プログラミング可能な移動電話、タブレットコンピュータ又は車両に相当し得る。例えば干渉の低減は、例えば、第１の移動通信システムの送信ユニットのカバー領域における同一の周波数、時間又は空間リソース（英表記；Ｓｐａｔｉａｌ  Ｒｅｓｏｕｒｃｅｓ）の使用の回避又は低減による、第１の移動通信システムの第１の信号及び第２の移動通信システムの第２の信号の回避又は低減を含み得る。
【００３４】
この方法は、第１の移動通信システムの１つ以上の送信ユニットの所在位置に関する情報及び第１の移動通信システムの１つ以上の送信ユニットの使用する通信リソースに関する情報を受け取るステップ１１０を含む。
【００３５】
例えば、第１の移動通信システムの１つ以上の送信ユニットの所在位置に関する情報及び／又は第１の移動通信システムの１つ以上の送信ユニットの使用する通信リソースに関する情報を受け取るステップ１１０は、移動通信システム、例えば、第１又は第２の移動通信システムに関する情報の受信を含み得る。代替的又は付加的に、第１の移動通信システムの１つ以上の送信ユニットの所在位置に関する情報及び／又は第１の移動通信システムの１つ以上の送信ユニットの使用する通信リソースに関する情報を受け取るステップ１１０は、移動機器のメモリからの情報の読み出しを含み得る。
【００３６】
例えば、第１の移動通信システムの１つ以上の送信ユニットの所在位置に関する情報及び使用する通信リソースに関する情報は、マップ内に含まれてもよい。第１の移動通信システムの１つ以上の送信ユニットの所在位置に関する情報及び使用する通信リソースに関する情報は、例えば、マップの少なくとも一部の受信（又は読み出し）を含み得る。代替的又は付加的に、第１の移動通信システムの１つ以上の送信ユニットの所在位置に関する情報及び／又は第１の移動通信システムの１つ以上の送信ユニットの使用する通信リソースに関する情報は、データ構造部、例えば、データベース又はリスト構造に含まれていてもよい。第１の移動通信システムの１つ以上の送信ユニットの所在位置に関する情報及び使用する通信リソースに関する情報を受け取るステップは、例えば、データ構造部の少なくとも一部の受信又は読み出しを含み得る。
【００３７】
この方法はさらに、移動機器の位置を特定するステップ１２０を含む。例えば、移動機器の位置を特定するステップ１２０は、衛星支援のナビゲーションシステム、例えば、全地球測位システム（ＧＰＳ）、全地球測位衛星システム（ＧＬＯＮＡＳＳ）又はガリレオ測位衛星システムなどに基づき得る。代替的又は付加的に、移動機器の位置を特定するステップ１２０は、受信された無線信号の三角測量に基づき得る。
【００３８】
この方法はさらに、第１の移動通信システムの１つ以上の送信ユニットの所在位置に関する情報に基づく移動機器の位置での第２の移動通信システムを介した移動機器の通信を、第１の移動通信システムの１つ以上の送信ユニットの使用する通信リソースに関する情報に基づく前記第２の移動通信システムの通信リソースの使用の適合化によって、適合化するステップ１３０を含む。例えば、第２の移動通信システムを介した通信は、データ通信又はデータ伝送に相当し得る。例えば、第２の移動通信システムを介した通信は、車車間通信又は車対インフラストラクチャ通信、例えば、周期的なステータスメッセージを介した通信及び／又はイベントベースメッセージを介した通信などに相当し得る。
【００３９】
例えば、第２の移動通信システムの使用する通信リソース及び／又は通信リソースは、周波数リソース、時間リソース及び空間リソースのグループのうちの少なくとも１つの要素を含み得る。
【００４０】
例えば、通信リソースの使用の適合化は、使用する通信リソースの交換を含み得る。例えば、他の周波数、時間又は空間リソースを使用することができる。代替的に、通信リソースの使用の適合化は、変更された通信パラメータによる通信リソースの維持を含み得る。この場合は、例えば、送信電力を増加させることができ、あるいはデジタル変調又は符号化を変更することができる。
【００４１】
例えば、使用する通信リソースは、第１の周波数リソース（例えば、第１の移動通信システムの少なくとも一部の搬送波周波数の周波数領域／周波数帯域）を含むことがあり、第２の移動通信システムの通信リソースは、第２の周波数リソース（例えば、第２の移動通信システムの少なくとも一部の搬送波周波数の周波数領域／周波数帯域）を含むことがある。第１の周波数リソース及び第２の周波数リソースは、少なくとも部分的に重複していてもよい。代替的又は付加的に、第１の周波数リソースと第２の周波数リソースとの間の周波数間隔は、周波数間隔閾値より小さくてもよい。例えば、使用する通信リソースの周波数リソース及び／又は第２の移動通信システムの通信リソースの周波数リソースは、少なくとも部分的に５ＧＨｚ乃至６ＧＨｚの間の周波数領域に存在し得る。例えば、第１の移動通信システムは、（例えば、ＩＥＥＥ規格８０２．１１ａｃ又は８０２．１１ａｄに準拠した）ＷＬＡＮ（無線ローカルエリアネットワーク、ケーブルレスローカルネットワーク）に対応し得る。第２の移動通信システムは、例えば、ＩＥＥＥ規格８０２．１１ｐに準拠した車車間通信システムに対応し得る。
【００４２】
代替的に、使用する通信リソースの周波数リソース及び／又は第２の移動通信システムの通信リソースの周波数リソースは、少なくとも部分的に２ＧＨｚ乃至３ＧＨｚの間の周波数領域、例えば、２．４ＧＨｚ付近の周波数帯域に存在し得る。例えば、第１の移動通信システムは、ＷＬＡＮに対応することが可能であり、第２の移動通信システムは、ブルートゥース移動通信システムに対応することが可能である。
【００４３】
例えば、通信を適合化するステップ１３０（例えば、通信リソースの使用の適合化）は、第２の移動通信システムを介した通信のために、移動機器の位置で第１の移動通信システムの１つ以上の送信ユニットによって使用されていない周波数リソースの使用を含み得る。例えば、通信を適合化するステップ１３０（例えば、通信リソースの使用の適合化）は、次のような周波数リソースの使用を含み得る。すなわち、移動機器の位置での第１の移動通信システムの信号強度が、第１の移動通信システムからも第２の移動通信システムからも使用される他の周波数リソースよりも僅かな周波数リソースである。例えば、通信を適合化するステップ１３０（例えば、通信リソースの使用の適合化）は、第２の移動通信システムを介して、移動機器の位置で第１の移動通信システムの１つ以上の送信ユニットによって使用されていない周波数リソース（だけ）を使用するように適合化することができる。
【００４４】
代替的又は付加的に、通信を適合化するステップ１３０（例えば、通信リソースの使用の適合化）はさらに、第２の移動通信システムを介した移動機器の通信のために移動機器の送信電力の増加を含み得る。例えば、通信を適合化するステップ１３０は、移動機器の位置で第１の移動通信システム及び第２の移動通信システムによって使用される周波数リソースのために移動機器の送信電力の増加を含み得る。
【００４５】
例えば、通信を適合化するステップ１３０（例えば、通信リソースの使用の適合化）はさらに、第２の移動通信システムを介した移動機器の通信のデジタル変調（又はチャネル符号化）の適合化を含み得る。例えば、通信を適合化するステップ１３０（例えば、通信リソースの使用の適合化）は、第１の移動通信システムの送信ユニットが移動機器１００の位置の周辺環境に存在しない場合には、より多くの数の（位相又は振幅）状態を伴う第１のデジタル変調の選択を含むことが可能であり、第１の移動通信システムの送信ユニットが移動機器１００の位置の周辺環境に存在する場合（例えば、第１の周波数リソース及び第２の周波数リソースが少なくとも部分的に重複する場合）には、より少ない数の状態を伴う第２のデジタル変調の選択を含む。
【００４６】
少なくともいくつかの実施例では、通信を適合化するステップ１３０（例えば、通信リソースの使用の適合化）は、通信の時点の適合化を含み得る。例えば、この通信の時点の適合化は、通信の前倒し又はシフト、通信の繰り返しレートの適合化及び／又は通信のデータスループットの増加を含み得る。例えば、通信を適合化するステップ１３０（例えば、通信リソースの使用の適合化）は、移動機器が第１の移動通信システムの送信ユニットの周辺環境に到達する前に、第２の移動通信システムを介した通信を終了させるために、通信の時点の前倒しを含み得る。代替的又は付加的に、通信を適合化するステップ１３０（例えば、通信リソースの使用の適合化）は、移動機器が第１の移動通信システムの送信ユニットの周辺環境を離れた後に、第２の移動通信システムを介した通信を除外するために、通信の時点の遅延を含む。
【００４７】
代替的又は付加的に、繰り返しレートの適合化は、移動機器が第１の移動通信システムの送信ユニットの位置に近づいているか、又は、移動機器が第１の移動通信システムの送信ユニットの周辺環境に存在する場合には、繰り返しレートの増加を含み得る。この繰り返しレートは、例えば、周期的に送信されるメッセージ、例えば、車車間メッセージの繰り返しレートに相当し得る。代替的又は付加的に、この繰り返しレートは、パケットベースの伝送プロトコル（例えば、伝送制御プロトコル；ＴＣＰ）の冗長機構の繰り返しレートに相当し得る。付加的又は代替的に、通信を適合化するステップ１３０は、冗長情報の伝送の適合化を含み得る。代替的又は付加的に、通信を適合化するステップ１３０（例えば、通信リソースの使用の適合化）は、移動機器が第１の移動通信システムの送信ユニットの位置に近づいているか、又は、移動機器が第１の移動通信システムの送信ユニットの周辺環境に存在する場合には、第２の移動通信システムを介した通信の使用データのデータ量に対する冗長情報のデータ量の増加を含み得る。
【００４８】
例えば、データスループットの増加は、移動機器が第１の移動通信システムの送信ユニットの周辺環境に到達する前に実施することができる。例えば、データスループットの増加は、例えば、第２の移動通信システムを介した通信の制限の予想される拡張に基づくメディア及び／又はナビゲーションデータのバッファリングを含み得る。
【００４９】
例えば、通信を適合化するステップ１３０（例えば、通信リソースの使用の適合化）はさらに、第２の移動通信システムの基地局間での移動機器のハンドオーバの適合化を含み得る。例えば、この移動機器のハンドオーバの適合化は、第１の移動通信システムの送信ユニットによって使用されていない周波数リソースを使用した、第２の移動通信システムの基地局への移動機器のハンドオーバ（英表記；Ｈａｎｄｏｖｅｒ）を含み得る。代替的又は付加的に、移動機器のハンドオーバの適合化は、他の空間リソース（英表記；Ｓｐａｔｉａｌ  Ｒｅｓｏｕｒｃｅｓ）を第１の移動通信システムの送信ユニットとして使用する、第２の移動通信システムの基地局への移動機器のハンドオーバ（英表記；Ｈａｎｄｏｖｅｒ）を含み得る。例えば、第１の移動通信システムの送信ユニットのカバー領域外に存在している基地局、又は、移動機器と基地局との間の信号が第１の移動通信システムの送信ユニットによる干渉をより僅かしか受けないように位置決めされている基地局へのハンドオーバを行うことができる。
【００５０】
例えば、通信を適合化するステップ１３０（例えば、通信リソースの使用の適合化）は、周波数分割多重化方式、時分割多重化方式及び空間分割多重化方式のグループのうちの少なくとも１つの要素に基づくことが可能である。例えば、通信を適合化するステップ１３０は、第２の移動通信システムを介した移動機器の通信を次のように適合化し得る。すなわち、移動機器の位置で第１の移動通信システムの送信ユニットによって使用されていない周波数、時間及び／又は空間リソースが使用されるように適合化し得る。例えば、通信を適合化するステップ１３０は、空間分割多重化方式によって通信を次のように適合化し得る。すなわち、移動機器と第２の移動通信システムとの間の信号の伝搬方向／伝搬チャネルが、第１の移動通信システムの送信ユニットの信号による影響を受けないか又は僅かしか受けないように適合化し得る。
【００５１】
図２は、第１の移動通信システムと、第２の移動通信システムを介した移動機器１００の通信との間の干渉を低減するための移動機器１００のための装置１０のブロック回路図を示す。この装置１０は、第１の移動通信システムの１つ以上の送信ユニットの所在位置に関する情報及び第１の移動通信システムの１つ以上の送信ユニットの使用する通信リソースに関する情報を受け取るように構成された少なくとも１つのインタフェース１２を含む。この少なくとも１つのインタフェース１２はさらに、位置決めモジュール１６から移動機器の位置に関する情報を受け取るように構成されている。
【００５２】
この装置１０はさらに、図１に関連して導入される方法を実施するように構成された制御モジュール１４を含む。この制御モジュール１４は、例えば、少なくとも１つのインタフェース（並びに、例えば、位置決めモジュール１６及び／又は少なくとも１つの送受信器モジュール）を制御するように構成されている。この制御モジュール１４はさらに、移動機器の位置に関する情報に基づいて移動機器の位置を特定するように構成されている。この制御モジュール１４はさらに、第１の移動通信システムの１つ以上の送信ユニットの所在位置に関する情報に基づく移動機器の位置での第２の移動通信システムを介した移動機器の通信を、第１の移動通信システムの１つ以上の送信ユニットの使用する通信リソースに関する情報に基づく第２の移動通信システムの通信リソースの使用の適合化によって、適合化するように構成されている。
【００５３】
この装置１０は、例えば、さらに、第１の移動通信システム及び第２の移動通信システムを介して通信するように構成された少なくとも１つの送受信器モジュール（英表記；Ｔｒａｎｓｃｅｉｖｅｒ）を含み得る。制御モジュール１４は、第２の移動通信システムを介した通信の適合化のために、少なくとも１つの送受信器モジュールを制御するように構成されてもよい。この送受信器モジュールは、例えば、分割された通信チャネルを介して通信するように構成されてもよい（英表記；ｓｈａｒｅｄ  ｃｈａｎｎｅｌ，  ｂｒｏａｄｃａｓｔ  ｃｈａｎｎｅｌ）。いくつかの実施例では、車車間インタフェースの車車間通信は、例えば、（電気電子学会、電気学会の）ＩＥＥＥ規格８０２．１１ｐに準拠した、例えば、基地局を使用しない２つの車両間の直接的な無線通信リンクか又は（例えば、基地局を用いた）間接的な通信リンクに相当し得る。車車間インタフェース２０は、例えば、周辺環境内のさらなる車両と直接無線で通信するように構成されてもよい。送受信器モジュールは、例えば、移動通信用グローバルシステム（ＧＳＭ）、汎用パケット無線サービス（ＧＰＲＳ）、ＧＳＭエボリューション用拡張データレート（ＥＤＧＥ）、ユニバーサル移動通信システム（ＵＭＴＳ）、ロングタームエボリューション及び第５世代移動無線システム（５Ｇ）のグループのうちの少なくとも１つの移動無線システムを介して通信するように構成されてもよい。
【００５４】
少なくとも１つのインタフェース１２は、例えば、モジュール内部、モジュール間、又は異なるエンティティのモジュール間のコードに基づいたデジタルビット値などの情報を受信及び／又は伝送するための１つ以上の入力側及び／又は１つ以上の出力側に相当し得る。
【００５５】
実施例では、制御モジュール１４は、任意のコントローラ又はプロセッサ又はプログラミング可能なハードウェアコンポーネントに相当し得る。例えば、制御モジュール１４は、相応のハードウェアコンポーネント用にプログラミングされたソフトウェアとして実現されてもよい。その限りではこの制御モジュール１４は、相応に適合化されたソフトウェアを有するプログラミング可能なハードウェアとして実施されてもよい。その際にはデジタル信号プロセッサ（ＤＳＰ）のような任意のプロセッサを使用することができる。
【００５６】
この場合、これらの実施例は、特定のタイプのプロセッサに限定されるものではない。ここでは制御モジュール１４の実現のために任意のプロセッサ又は複数のプロセッサも考えられる。
【００５７】
実施例では、位置決めモジュール１６は、装置又は位置決めモジュール１６の位置に関する情報の算出又は特定を可能にする任意のコンポーネントとして実施されてもよい。例えば、衛星支援のナビゲーションシステムのための受信器、例えば、ＧＰＳ受信器（英表記；Ｇｌｏｂａｌ  Ｐｏｓｉｔｉｏｎｉｎｇ  Ｓｙｓｔｅｍ（全地球測位システム））、又は、例えば、受信された無線信号の三角測量を介した位置決めを可能にするその他のコンポーネントを含むこともができる。
【００５８】
少なくともいくつかの実施例では、車両１００は、例えば、農業車両、船舶、航空機、鉄道車両、路面車両、乗用車、オフロード車両、自動車又は貨物車両に相当し得る。
【００５９】
制御モジュール１４は、少なくとも１つのインタフェース１２に結合される。位置決めモジュール１６は、少なくとも１つのインタフェース１２に結合される。実施例によればさらに、装置１０を含む移動機器１００、例えば、プログラミング可能な移動電話（英表記；Ｓｍａｒｔｐｈｏｎｅ）又は車両が提供される。図２はさらに、移動機器のための装置１０を含む移動機器を示す。
【００６０】
第１の移動通信システム及び／又は第２の移動通信システムは、例えば、移動通信用グローバルシステム（ＧＳＭ）、汎用パケット無線サービス（ＧＰＲＳ）、ＧＳＭエボリューション用拡張データレート（ＥＤＧＥ）、ユニバーサル移動通信システム（ＵＭＴＳ）、ロングタームエボリューション及び第５世代（５Ｇ）移動無線システムのグループの移動無線システムに相当し得る。
【００６１】
少なくともいくつかの実施例によれば、地理ベースのデータベースに基づく送信特性の適合化が提供される。少なくともいくつかの実施例は、次のような状況の存在に基づいている。すなわち、送信器ユニットがより良好に、例えば、地理的なマップ／リスト／クラウドサービス（コネクティビティマップとも称する）からの情報を含めて利用可能な無線スペクトルをより良好に利用し得る状況の存在に基づいている。
【００６２】
一例として、ここでは電気電子学会のＷＬＡＮ／ＩＥＥＥ規格８０２．１１ａｃに準拠したアクセスポイント（Ａｃｃｅｓｓ  Ｐｏｉｎｔ）を有するデータ通信チャネルを受け入れることが可能である。そのようなアクセスポイントは、将来的に５．ＸＧＨｚ付近の隣接する周波数スペクトルで送信される（明確な不変の地理的位置を有する）恒久的に設置されたユニットである。そのため、例えば、５．９ＧＨｚで他の移動ユニットと（例えば、ＩＥＥＥ規格８０２．１１ｐに準拠して）通信する移動ユニット（乗用車又はスマートフォンなど）は、そのサービスに対して将来的にＷＬＡＮ／ＩＥＥＥ規格８０２．１１ａｃに準拠したアクセスポイントによって使用される周波数スペクトルに隣接する周波数スペクトルを使用することができる。このＷＬＡＮ／ＩＥＥＥ規格８０２．１１ａｃに準拠したアクセスポイントの座標が既知である場合（及びコネクティビティマップに記憶され（常に更新され）、移動ユニットに使用される場合）には、これらの移動ユニットは、それらの送信特性を５．９ＧＨｚ通信に適合化することができ、例えば、他の変調方式を使用するか又はＷＬＡＮ／ＩＥＥＥ規格８０２．１１ａｃによる影響が僅かなレベルである５．９ＧＨｚスペクトルの上位チャネルのみを使用することができる。
【００６３】
少なくともいくつかの実施例は、肯定的な意味でも移動ユニットの送信特性の適合化に影響を及ぼし得る。移動機器がいくつかの固定の送信ユニット及びそれらの送信特性を知っているならば、当該移動機器は、第２の移動通信システムを介した通信を適合化するように構成されてもよい。例えば、ある種の「コネクティビティマップ」（複数の／すべての送信装置の座標が記憶されているある種のマトリックス）を提供することができ、移動機器は、使用される移動通信システムに依存してより良好に通信が適合化されるように構成されてもよい。それにより、例えば、動作中のサービスを将来の干渉に積極的に適合化させることができる。この移動機器は、例えば当該移動機器が、例えば、コネクティビティマップ及び現在の移動機器のルートに基づいて、将来的には接続性が（外部サービスの通信妨害か又は現在の周波数がそう長くは通信に使えなくなる理由から）もはや存在しなくなる可能性を認識している場合には、（実質的に）より早期段階でデータダウンロードを計画するように構成されてもよい。これに対して付加的又は代替的に、移動機器は、中断までに十分な時間がある場合には、（他の通信サービス、アクセスポイント、基地局への）ハンドオーバ（Ｈａｎｄｏｖｅｒ）を、例えば、より正確に計画又は実施するように構成されてもよい。例えばコネクティビティマップから、移動機器が既知の間隔距離（例えば２キロメートル）で、例えばより良好／より安価／より安全な他の通信サービスのカバー範囲内（例えばＷＬＡＮ）に入ることが認識される場合には、ポジティブな方向で、例えば、計画することも可能である。それにより、この移動機器は、この区間部分のために（例えば、ソフトウェア更新又はメディアの）データダウンロードを計画し、（例えば、３Ｇ（第３世代移動通信）を介して）すぐには開始しないように構成されてもよい。
【００６４】
デジタル通信においては様々な多重化方式が存在する。例えば、周波数及び時分割多重化方式（ＴＤＭＡ，ＦＤＭＡ，ＦＴＤＭＡ…）など。さらにロケーションベースの多重化方式も考えられる。例えば、移動機器は、既知の位置データに基づいて、固定的に設置された送信局、周波数及び／又は時間リソースを再利用し、周波数／時間リソースをより良好に使用することで（例えば、他のサービスが実際にアクティブである場所（のみ）であって、どこでもではない）、例えば、他の二次的又は三次的サービスが改善されるように構成されてもよい。
【００６５】
例えば、移動ユニット（移動機器）は、それらの送信特性と共に（すべての）固定の通信ユニット（送信ユニット）がリストアップされている（又はそれらがこれに含まれる）リストに対するアクセスを有することができる。１つのリストは、例えば、以下のようなものであってもよい。すなわち、
ステーション１：（緯度１、経度１、高度１、周波数スペクトル、変調、送信電力…）
ステーション２：（緯度２、経度２、高度２、周波数スペクトル、変調、送信電力…）
ステーションＮ：（緯度Ｎ、経度Ｎ、高度Ｎ、周波数スペクトル、変調、送信電力…）であってもよい。
【００６６】
このリストでは、例えば、第１の移動通信システムの１つ以上の送信ユニットの所在位置に関する情報及び使用する通信リソースに関する情報の１つの実施例を示すことができる。
【００６７】
類似の解決手段も、付加的なハードウェア検出器が必要になり得るすべての周波数帯域用に使用される可能性があり、またすべてのコネクティビティサービスのために含まれる可能性がある。そのようなリストは、他の周波数帯域用の付加的なハードウェアとして実施する方が安価である可能性もある。
【００６８】
さらなる実施例は、コンピュータプログラムがコンピュータ、プロセッサ又はプログラミング可能なハードウェアコンポーネント上で実行されるときに、上記方法のうちの少なくとも１つを実施するためのコンピュータプログラムである。さらなる実施例は、機械可読又はコンピュータ可読であって、かつ、上記方法のうちの１つが実行されるように、プログラミング可能なハードウェアコンポーネントと相互作用し得る電子的に読み出し可能な制御信号を有するデジタル記憶媒体でもある。
【００６９】
前述の説明、下記の特許請求の範囲及び添付の図面に開示された特徴は、個別においても任意の組み合わせにおいても、それらの様々な実施形態での実施例の実現のために重要であり、実施できるものである。
【００７０】
いくつかの態様は、装置に関連して説明されているにもかかわらず、これらの態様は、対応する方法の説明も表していることを理解されたい。それにより、装置のブロック又は構成要素は、対応する方法ステップとしても、１つの方法ステップの特徴としても解することができる。それに類似して、１つの方法ステップに関連して、又は１つの方法ステップとして説明された態様は、対応する装置の対応するブロック又は詳細又は特徴も表している。
【００７１】
特定の実施要件に応じて、本発明の実施例は、ハードウェア又はソフトウェアで実施されてもよい。この実施は、デジタル記憶媒体、例えば、フロッピーディスク、ＤＶＤ、ブルーレイディスク、ＣＤ、ＲＯＭ、ＰＲＯＭ、ＥＰＲＯＭ、ＥＥＰＲＯＭ又はフラッシュメモリ、ハードディスク又はその他の磁気的若しくは光学的メモリを用いて行うことができる。これらの媒体上には、プログラミング可能なハードウェアコンポーネントとそれぞれの方法が実施されるように協働することができるか協働する、電子的に読み出し可能な制御信号が記憶されている。
【００７２】
プログラミング可能なハードウェアコンポーネントは、プロセッサ、コンピュータプロセッサ（ＣＰＵ＝Central Processing Unit）、グラフィックプロセッサ（ＧＰＵ＝Graphics Processing Unit）、コンピュータ、コンピュータシステム、特定用途向け集積回路（ＡＳＩＣ＝Application-Specific Integrated Circuit）、集積回路（ＩＣ＝Integrated Circuit）、ワンチップシステム（ＳＯＣ＝System on Chip）、プログラミング可能な論理素子又はマイクロプロセッサを備えたフィールドプログラマブルゲートアレイ（ＦＰＧＡ＝Field Programmable Gate Array）によって形成されてもよい。
【００７３】
デジタル記憶媒体は、それゆえに機械可読又はコンピュータ可読であってもよい。したがっていくつかの実施例は、プログラミング可能なコンピュータシステム又はプログラミング可能なハードウェアコンポーネントと相互作用して、本明細書に記載の方法のうちの１つを実施させることができる電子的に読み出し可能な制御信号を有するデータ担体を含む。それにより、一実施例は、本明細書に記載の方法のうちの１つを実施するためのプログラムが記憶されているデータ担体（又はデジタル記憶媒体又はコンピュータ可読媒体）である。
【００７４】
一般に、本発明の実施例は、プログラムコード又はデータを有するプログラム、ファームウェア、コンピュータプログラム又はコンピュータプログラム製品として実現されてもよい。その場合、プログラムコード又はデータは、プログラムがプロセッサ又はプログラミング可能なハードウェアコンポーネント上で実行されるときに、本明細書の方法のうちの１つが実施されるように作用する。これらのプログラムコード又はデータは、例えば、機械可読の担体又はデータ担体に記憶されてもよい。これらのプログラムコード又はデータは、特に、ソースコード、機械コード又はバイトコード、及び、その他の中間コードとして存在し得る。
【００７５】
さらなる実施例はさらに、本明細書に記載の方法のうちの１つを実施するためのプログラムを表すデータ流、信号列又は信号シーケンスである。これらのデータ流、信号列又は信号シーケンスは、例えばデータ通信リンクを介して、例えば、インターネット又はその他のネットワークを介して転送されるように構成されてもよい。そのため、これらの実施例は、ネットワーク又はデータ通信リンクを介した伝送に適したデータを表す信号列でもあり、この場合、これらのデータはプログラムを表す。
【００７６】
一実施例によるプログラムは、その実行中に、例えば、１つ以上のデータを記憶場所から読み取るか又は当該記憶場所に１つ以上のデータを書き込むことによって、本明細書の方法のうちの１つを実行に移すことが可能であり、これにより、場合によっては、トランジスタ構造部、増幅器構造部又はその他の電気的、光学的、磁気的若しくはその他の機能原理に従って動作する構成部品において、複数のスイッチング過程又はその他の過程が引き起こされる。それに応じて記憶場所からの読み出しにより、複数のデータ、値、センサ値又はその他の情報が、プログラムによって検出、特定又は測定可能になる。それゆえ１つのプログラムは、１つ以上の記憶場所からの読み出しによって複数の特性量、値、測定変数及びその他の情報を検出、特定又は測定させ、また、１つ以上の記憶場所への書き込みによって１つの動作を生じさせ、引き起こし又は実施させ、また、その他の機器、機械及びコンポーネントを駆動制御することを可能にさせる。
【００７７】
上述した実施例は、本発明の原理の単なる例示を示したものにすぎない。本明細書に記載された装置及び事項の変更及び変形は、他の当業者には明らかであることを理解されたい。それゆえ、本発明は、下記の特許請求の範囲の権利範囲によってのみ限定されることを意図しており、本明細書の実施例の記載及び説明に基づいて提示された特定事項により限定されるものではないことを述べておく。
【符号の説明】
【００７８】
１０    移動機器用装置
１２    少なくとも１つのインタフェース
１４    制御モジュール
１６    位置決めモジュール
１００  移動機器
１１０  第１の移動通信システムの１つ以上の送信ユニットの所在位置及び使用する通信リソースに関する情報を受け取るステップ
１２０  移動機器の位置を特定するステップ
１３０  第２の移動通信システムに関する通信を適合化するステップ
【図１】
2020174398.tif 000003
【図２】
2020174398.tif 000004
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
第１の移動通信システムを介した移動機器の通信と、第２の移動通信システムを介した当該移動機器の通信との間の干渉を低減するために、当該移動機器による通信を適合化する移動機器のための方法であって、
前記第１の移動通信システムの１つ以上の送信ユニットの所在位置に関する情報、及び、前記第１の移動通信システムの１つ以上の送信ユニットの使用する通信リソースに関する情報を前記移動機器が受け取るステップと、
前記第１の移動通信システムの１つ以上の送信ユニットの所在位置に関する情報に基づいて、前記移動機器の位置を前記移動機器が特定するステップと、
前記第１の移動通信システムの１つ以上の送信ユニットの所在位置に関する情報に基づく前記移動機器の特定された位置に基づく前記第２の移動通信システムを介した前記移動機器の通信を、前記第１の移動通信システムの１つ以上の送信ユニットの前記使用する通信リソースに関する情報に基づく前記第２の移動通信システムの通信リソースの使用の適合化によって、前記移動機器が適合化するステップと、
を含む方法。
【請求項２】
前記第１の移動通信システムの前記使用する通信リソース及び／又は前記第２の移動通信システムの通信リソースは、周波数リソース、時間リソース及び空間リソースのグループのうちの少なくとも１つの要素を含む、請求項１に記載の方法。
【請求項３】
前記移動機器による、前記第２の移動通信システムの前記通信リソースの使用の適合化は、前記移動機器による、前記第２の移動通信システムの前記通信リソースの使用の交換を含み、又は、前記移動機器による、前記第２の移動通信システムの前記通信リソースの使用の適合化は、前記移動機器による、変更された通信パラメータによる前記第２の移動通信システムの通信リソースの使用の維持を含む、請求項１に記載の方法。
【請求項４】
前記第１の移動通信システムの前記使用する通信リソースは第１の周波数リソースを含み、前記第２の移動通信システムの通信リソースは第２の周波数リソースを含み、前記第１の周波数リソース及び前記第２の周波数リソースは、少なくとも部分的に重複しており、又は、前記第１の周波数リソースと前記第２の周波数リソースとの間の周波数間隔は、周波数間隔閾値よりも小さい、請求項１に記載の方法。
【請求項５】
前記移動機器による前記第２の移動通信システムを介した前記通信を適合化するステップは、前記第２の移動通信システムを介した通信のために、前記移動機器の特定された位置での前記第１の移動通信システムの１つ以上の送信ユニットによって使用されていない周波数リソースの使用を含む、請求項１に記載の方法。
【請求項６】
前記通信を適合化するステップは、さらに、前記第２の移動通信システムを介した前記移動機器の通信のデジタル変調の適合化を含み、又は、前記第２の移動通信システムを介した前記移動機器の通信のための当該移動機器の送信電力の増加を含む、請求項１に記載の方法。
【請求項７】
前記第１の移動通信システムの前記使用する通信リソースの周波数リソース及び／又は前記第２の移動通信システムの通信リソースの周波数リソースは、少なくとも部分的に５ＧＨｚ乃至６ＧＨｚの間の周波数領域に存在し、及び／又は、前記移動機器による前記通信を適合化するステップは、さらに、前記第２の移動通信システムの基地局間での前記移動機器のハンドオーバの適合化を含む、請求項１に記載の方法。
【請求項８】
前記第１の移動通信システムの１つ以上の送信ユニットの所在位置に関する情報、及び、前記使用する通信リソースに関する情報は、マップ内に含まれており、前記第１の移動通信システムの１つ以上の送信ユニットの所在位置に関する情報、及び、前記使用する通信リソースに関する情報を受け取る前記ステップは、前記マップの少なくとも一部の受信を含む、請求項１に記載の方法。
【請求項９】
前記通信を適合化するステップは、周波数分割多重化方式、時分割多重化方式及び空間分割多重化方式のグループのうちの少なくとも１つの要素に基づく、請求項１に記載の方法。
【請求項１０】
前記移動機器による前記第２の移動通信システムを介した前記通信を適合化するステップは、前記第２の移動通信システムを介した前記移動機器による前記通信の時点の適合化を含む、請求項１に記載の方法。
【請求項１１】
前記通信の時点の適合化は、通信の前倒し若しくはシフト、通信の繰り返しレートの適合化、及び／又は、通信のデータスループットの増加を含む、請求項１０に記載の方法。
【請求項１２】
プログラムコードが、移動機器の、コンピュータ、プロセッサ、制御モジュール又はプログラミング可能なハードウェアコンポーネント上で実行されるときに、第１の移動通信システムを介した当該移動機器の通信と、第２の移動通信システムを介した当該移動機器の通信との間の干渉を低減するために、当該移動機器による通信を適合化するための方法を当該移動機器が実施するための当該プログラムコードを有する不揮発性コンピュータ可読媒体であって、
前記方法は、
前記第１の移動通信システムの１つ以上の送信ユニットの所在位置に関する情報、及び、前記第１の移動通信システムの１つ以上の送信ユニットの使用する通信リソースに関する情報を前記移動機器が受け取るステップと、
前記第１の移動通信システムの１つ以上の送信ユニットの所在位置に関する情報に基づいて、前記移動機器の位置を前記移動機器が特定するステップと、
前記第１の移動通信システムの１つ以上の送信ユニットの所在位置に関する情報に基づく前記移動機器の特定された位置に基づく前記第２の移動通信システムを介した前記移動機器の通信を、前記第１の移動通信システムの１つ以上の前記送信ユニットの前記使用する通信リソースに関する情報に基づく前記第２の移動通信システムの通信リソースの使用の適合化によって、前記移動機器が適合化するステップと、を含む、
媒体。
【請求項１３】
前記第１の移動通信システムの前記使用する通信リソース及び／又は前記第２の移動通信システムの前記通信リソースは、周波数リソース、時間リソース及び空間リソースのグループのうちの少なくとも１つの要素を含む、請求項１２に記載の媒体。
【請求項１４】
前記移動機器による、前記第２の移動通信システムの前記通信リソースの使用の適合化は、前記第２の移動通信システムの前記通信リソースの使用の交換を含み、又は、前記移動機器による、前記第２の移動通信システムの前記通信リソースの使用の適合化は、変更された通信パラメータによる前記第２の移動通信システムの前記通信リソースの使用の維持を含む、請求項１２に記載の媒体。
【請求項１５】
前記第１の移動通信システムの前記使用する通信リソースは第１の周波数リソースを含み、前記第２の移動通信システムの前記通信リソースは第２の周波数リソースを含み、前記第１の周波数リソース及び前記第２の周波数リソースは、少なくとも部分的に重複しており、又は、前記第１の周波数リソースと前記第２の周波数リソースとの間の周波数間隔は、周波数間隔閾値よりも小さい、請求項１２に記載の媒体。
【請求項１６】
前記移動機器による前記通信を適合化するステップは、前記第２の移動通信システムを介した通信のために、前記移動機器の特定された位置で前記第１の移動通信システムの１つ以上の送信ユニットによって使用されていない周波数リソースの使用を含む、請求項１２に記載の媒体。
【請求項１７】
前記第１の移動通信システムの前記使用する通信リソースの周波数リソース及び／又は前記第２の移動通信システムの前記通信リソースの周波数リソースは、少なくとも部分的に５ＧＨｚ乃至６ＧＨｚの間の周波数領域に存在し、及び／又は、前記通信を適合化するステップは、さらに、前記第２の移動通信システムの基地局間での前記移動機器のハンドオーバの適合化を含む、請求項１２に記載の媒体。
【請求項１８】
前記第１の移動通信システムの１つ以上の送信ユニットの所在位置に関する情報、及び、前記使用する通信リソースに関する情報は、マップ内に含まれており、前記第１の移動通信システムの１つ以上の送信ユニットの所在位置に関する情報、及び、前記移動機器による、前記使用する通信リソースに関する情報を受け取る前記ステップは、前記マップの少なくとも一部の受信を含む、請求項１２に記載の媒体。
【請求項１９】
前記移動機器による前記通信を適合化するステップは、周波数分割多重化方式、時分割多重化方式及び空間分割多重化方式のグループのうちの少なくとも１つの要素に基づく、請求項１２に記載の媒体。
【請求項２０】
前記移動機器による前記第２の移動通信システムを介した前記通信を適合化するステップは、前記第２の移動通信システムを介した前記移動機器による前記通信の時点の適合化を含む、請求項１２に記載の媒体。
【請求項２１】
前記通信を適合化するステップは、さらに、前記第２の移動通信システムを介した前記移動機器の通信のデジタル変調の適合化を含むか、又は、前記第２の移動通信システムを介した前記移動機器の通信のための当該移動機器の送信電力の増加を含む、請求項２０に記載の媒体。
【請求項２２】
第１の移動通信システム介した通信と、第２の移動通信システムを介した通信との間の干渉を低減するために通信を適合化する移動機器であって、
前記第１の移動通信システムの１つ以上の送信ユニットの所在位置に関する情報、及び、前記第１の移動通信システムの１つ以上の送信ユニットの使用する通信リソースに関する情報を受け取り、さらに、前記移動機器の位置決めモジュールから、前記第１の移動通信システムの１つ以上の送信ユニットの所在位置に関する情報に基づく前記移動機器の位置に関する情報を受け取る少なくとも１つのインタフェースと、
前記少なくとも１つのインタフェースを制御し、前記移動機器の位置に関する情報に基づいて前記移動機器の位置を特定し、前記第１の移動通信システムの１つ以上の送信ユニットの所在位置に関する情報に基づく前記移動機器の特定された位置に基づく前記第２の移動通信システムを介した前記移動機器の通信を、前記第１の移動通信システムの１つ以上の送信ユニットの使用する通信リソースに関する情報に基づく前記第２の移動通信システムの通信リソースの使用の適合化によって、適合化する制御モジュールと、
を備えている移動機器。
【請求項２３】
前記第２の移動通信システムを介した輸送車両の通信を適合化するための請求項２２に記載の移動機器を備えている輸送車両。
【請求項２４】
前記第１の移動通信システムの前記使用する通信リソース及び／又は前記第２の移動通信システムの前記通信リソースは、周波数リソース、時間リソース及び空間リソースのグループのうちの少なくとも１つの要素を含む、請求項２２に記載の移動機器。
【請求項２５】
前記移動機器による、前記第２の移動通信システムの前記通信リソースの使用の適合化は、前記移動機器による、前記第２の移動通信システムの前記通信リソースの使用の交換を含み、又は、前記移動機器による、前記第２の移動通信システムの前記通信リソースの使用の適合化は、前記移動機器による、変更された通信パラメータによる前記第２の移動通信システムの前記通信リソースの使用の維持を含む、請求項２２に記載の移動機器。
【請求項２６】
前記第１の移動通信システムの前記使用する通信リソースは第１の周波数リソースを含み、前記第２の移動通信システムの前記通信リソースは第２の周波数リソースを含み、前記第１の周波数リソース及び前記第２の周波数リソースは、少なくとも部分的に重複しており、又は、前記第１の周波数リソースと前記第２の周波数リソースとの間の周波数間隔は、周波数間隔閾値よりも小さい、請求項２２に記載の移動機器。
【請求項２７】
前記移動機器による前記第２の移動通信システムを介した前記通信の適合化は、前記第２の移動通信システムを介した通信のために、前記移動機器の特定された位置で前記第１の移動通信システムの１つ以上の送信ユニットによって使用されていない周波数リソースの使用を含む、請求項２２に記載の移動機器。
【請求項２８】
前記移動機器による前記第２の移動通信システムを介した前記通信の適合化は、前記第２の移動通信システムを介した前記移動機器による前記通信の時点の適合化を含む、請求項２２に記載の移動機器。
【請求項２９】
前記通信の時点の適合化は、通信の前倒し若しくはシフト、通信の繰り返しレートの適合化、及び／又は、通信のデータスループットの増加を含む、請求項２８に記載の移動機器。
【請求項３０】
前記通信の適合化は、さらに、前記第２の移動通信システムを介した前記移動機器の通信のデジタル変調の適合化を含むか、又は、前記第２の移動通信システムを介した前記移動機器の通信のための当該移動機器の送信電力の増加を含む、請求項２２に記載の移動機器。
【請求項３１】
前記第１の移動通信システムの前記使用する通信リソースの周波数リソース及び／又は前記第２の移動通信システムの前記通信リソースの周波数リソースは、少なくとも部分的に５ＧＨｚ乃至６ＧＨｚの間の周波数領域に存在し、及び／又は、前記移動機器による前記通信の適合化は、さらに、前記第２の移動通信システムの基地局間での前記移動機器のハンドオーバの適合化を含む、請求項２２に記載の移動機器。
【外国語明細書】
2020174398.tif 000005
2020174398.tif 000006
2020174398.tif 000007
2020174398.tif 000008
2020174398.tif 000009
2020174398.tif 000010
2020174398.tif 000011
2020174398.tif 000012
2020174398.tif 000013
2020174398.tif 000014
2020174398.tif 000015
2020174398.tif 000016
2020174398.tif 000017
2020174398.tif 000018
2020174398.tif 000019
2020174398.tif 000020
2020174398.tif 000021
2020174398.tif 000022
2020174398.tif 000023
2020174398.tif 000024
2020174398.tif 000025
2020174398.tif 000026
2020174398.tif 000027
2020174398.tif 000028
2020174398.tif 000029
2020174398.tif 000030
2020174398.tif 000031